(57)【要約】【課題】真空バルブの外部絶縁の補強部材を軽量化し、簡素な構造としたタンク型真空遮断器を提供する。【解決手段】タンク１と、タンク１内に収納された一対の接点を有する真空バルブ２と、真空バルブ２の固定側に固定された固定側電極３と、固定側電極３をタンク１側に固定するエポキシ樹脂で注型された支持がいし４と、真空バルブ２の可動側に固定された可動側電極９と、可動側電極９をタンク１側に固定するエポキシ樹脂で注型された対地間絶縁体１０と、固定側電極３と可動側電極９間の真空バルブ２の外周に設けられた極間絶縁体１３とを備え、極間絶縁体１３をエポキシ樹脂よりも軽量の絶縁材料で構成したことを特徴とする。【選択図】  図１
2014072104.tif 000002
【特許請求の範囲】
【請求項１】
タンクと、
前記タンク内に収納された一対の接点を有する真空バルブと、
前記真空バルブの固定側に固定された固定側電極と、
前記固定側電極を前記タンク側に固定するエポキシ樹脂で注型された支持がいしと、
前記真空バルブの可動側に固定された可動側電極と、
前記可動側電極を前記タンク側に固定するエポキシ樹脂で注型された対地間絶縁体と、
前記固定側電極と前記可動側電極間の前記真空バルブの外周に設けられた極間絶縁体とを
備え、
前記極間絶縁体をエポキシ樹脂よりも軽量の絶縁材料で構成したことを特徴とするタンク
型真空遮断器。
【請求項２】
前記絶縁材料をシリコンゴムとしたことを特徴とする請求項１に記載のタンク型真空遮
断器。
【請求項３】
前記極間絶縁体を発泡材で構成したことを特徴とする請求項１または請求項２に記載の
タンク型真空遮断器。
【請求項４】
前記極間絶縁体を内周側の発泡体と外周側のＦＲＰとで構成したことを特徴とする請求
項１または請求項２に記載のタンク型真空遮断器。
【請求項５】
前記真空バルブの両端封着金具の周りに導電性塗料を塗布したことを特徴とする請求項
１乃至請求項４のいずれか１項に記載のタンク型真空遮断器。
【発明の詳細な説明】
【技術分野】
【０００１】
本発明の実施形態は、真空バルブの外部絶縁を補強したタンク型真空遮断器に関する。
【背景技術】
【０００２】
従来、タンク型真空遮断器には、ＳＦ６ガスのような絶縁ガスを所定圧力で封入し、真
空バルブの外部絶縁の補強が行われている。しかしながら、環境上、絶縁ガスを厳重に管
理しなくてはならず、保守点検を困難としていた（例えば、特許文献１参照）。
【０００３】
一方、真空バルブの高電圧化に伴い、真空バルブをエポキシ樹脂でモールドし、エポキ
シ樹脂の優れた絶縁特性を利用して外部絶縁を補強したものが知られている（例えば、特
許文献１参照）。
【０００４】
これらのことから、真空バルブをエポキシ樹脂でモールドして外部絶縁を補強し、これ
をタンク内に用いれば、絶縁ガスを不要とすることが期待できる。しかしながら、シリカ
などを充填したエポキシ樹脂は比重が大きく、比較的絶縁厚さを確保しなければならない
ため、真空バルブが重量化する。重量化すると、これを支持固定するために機械的な補強
部材を用いなくてはならず、益々、重量化するとともに、構造が複雑となる。このため、
外部絶縁を補強する部材を軽量化できるものが望まれていた。
【先行技術文献】
【特許文献】
【０００５】
【特許文献１】特開平５−２０９８３号公報
【特許文献２】特開２０００−１８８０４６号公報
【発明の概要】
【発明が解決しようとする課題】
【０００６】
本発明が解決しようとする課題は、真空バルブの外部絶縁を補強する部材の軽量化を図
り、簡素な構造とすることのできるタンク型真空遮断器を提供することにある。
【課題を解決するための手段】
【０００７】
上記課題を解決するために、実施形態のタンク型真空遮断器は、タンクと、前記タンク
内に収納された一対の接点を有する真空バルブと、前記真空バルブの固定側に固定された
固定側電極と、前記固定側電極を前記タンク側に固定するエポキシ樹脂で注型された支持
がいしと、前記真空バルブの可動側に固定された可動側電極と、前記可動側電極を前記タ
ンク側に固定するエポキシ樹脂で注型された対地間絶縁体と、前記固定側電極と前記可動
側電極間の前記真空バルブの外周に設けられた極間絶縁体とを備え、前記極間絶縁体をエ
ポキシ樹脂よりも軽量の絶縁材料で構成したことを特徴とする。
【図面の簡単な説明】
【０００８】
【図１】本発明の実施例１に係るタンク型真空遮断器の構成を示す断面図。
【図２】本発明の実施例２に係るタンク型真空遮断器の構成を示す要部断面図。
【図３】本発明の実施例３に係るタンク型真空遮断器の構成を示す要部断面図。
【発明を実施するための形態】
【０００９】
以下、図面を参照して本発明の実施例を説明する。
【実施例１】
【００１０】
先ず、本発明の実施例１に係るタンク型真空遮断器を図１を参照して説明する。図１は
、本発明の実施例１に係るタンク型真空遮断器の構成を示す断面図である。
【００１１】
図１に示すように、筒状のタンク１内の軸方向には、接離自在の一対の接点を有する真
空バルブ２が設けられている。真空バルブ２の固定側には、断面コ字状の固定側電極３が
設けられている。固定側電極３が真空バルブ２側と対向する軸方向の面には、エポキシ樹
脂で注型された支持がいし４が設けられ、タンク１の一方開口部に固定されたフランジ５
に固定されている。
【００１２】
真空バルブ２の可動側には、移動自在の可動軸６を介して絶縁操作ロッド７が連結され
ている。可動軸６の外周には、接触子８を介して断面Ｈ字状の可動側電極９が設けられて
いる。可動側電極９の軸方向の一方側には真空バルブ２が固定され、他方側にはエポキシ
樹脂で注型された筒状の対地間絶縁体１０が設けられている。対地間絶縁体１０は、タン
ク１の他方開口部に固定されたフランジ１１に固定され、中空部を絶縁操作ロッド７が貫
通している。フランジ１１には、絶縁操作ロッド７に連結された操作機構１２が固定され
、開閉操作が行われる。
【００１３】
固定側電極３と可動側電極９間の真空バルブ２外周には、シリコンゴム、ＥＰゴムなど
のようなエポキシ樹脂よりも比重の小さい絶縁材料からなる極間絶縁体１３が設けられて
いる。極間絶縁体１３は、固定側電極３端部と可動側電極９端部を覆うように設けられて
いる。
【００１４】
固定側電極３の図示上部には、一方の主回路導体１４が接続され、一方のがい管１５に
収納されている。可動側電極９の図示上部にも、他方の主回路導体１６が接続され、他方
のがい管１７に収納されている。
【００１５】
タンク１は、接地電位の密閉容器であり、乾燥空気、窒素ガス、二酸化炭素ガスのよう
な環境に適する環境適合ガス１８が略大気圧で封入されている。対地間絶縁体１０の中空
部にも、同様の環境適合ガス１９が封入されている。環境適合ガス１９は、操作機構１２
と流通してもよい。
【００１６】
支持がいし４、対地間絶縁体１０では、シリカなどの充填剤を充填したビスフェノール
型エポキシ樹脂を用いており、比重が約２であるが、極間絶縁体１３では、比重が１．２
〜１．５の絶縁材料を用いている。絶縁特性は、エポキシ樹脂と同様に良好であり、モー
ルドし易く、絶縁厚さを薄くすることもできる。このため、極間絶縁体１３を軽量化する
ことができ、真空バルブ２を支持固定する支持がいし４や対地間絶縁体１０などを細径で
簡素な構成とすることができる。
【００１７】
ここで、このような絶縁材料をエポキシ樹脂よりも軽量の絶縁材料と定義する。
【００１８】
なお、真空バルブ２の両端封着金具の周りに導電性塗料を塗布し、極間絶縁体１３をモ
ールドすれば、電界集中を抑制でき、極間方向の絶縁耐力を向上させることができる。ま
た、封着金具に電界緩和リングを設けてもよい。
【００１９】
上記実施例１のタンク型真空遮断器によれば、極間絶縁体１３にエポキシ樹脂よりも軽
量の絶縁材料を用いているので、真空バルブ２の支持固定が容易となり、全体形状が簡素
な構造となり軽量化を図ることができる。
【実施例２】
【００２０】
次に、本発明の実施例２に係るタンク型真空遮断器を図２を参照して説明する。図２は
、本発明の実施例２に係るタンク型真空遮断器の構成を示す要部断面図である。なお、こ
の実施例２が実施例１と異なる点は、極間絶縁体の絶縁材料である。図２において、実施
例１と同様の構成部分においては、同一符号を付し、その詳細な説明を省略する。
【００２１】
図２に示すように、極間絶縁体２０には、例えば発泡率５０％で発泡させたシリコンゴ
ム発泡体を用いている。これは、真空バルブ２を注型金型にセットし、シリコンゴムを発
泡させ形成する。なお、従来のエポキシ樹脂でもよく、発泡させることにより軽量化を図
ることができる。
【００２２】
上記実施例２のタンク型真空遮断器によれば、更に軽量化を図ることができる。
【実施例３】
【００２３】
次に、本発明の実施例３に係るタンク型真空遮断器を図３を参照して説明する。図３は
、本発明の実施例３に係るタンク型真空遮断器の構成を示す要部断面図である。なお、こ
の実施例３が実施例２と異なる点は、極間絶縁体の絶縁構造である。図３において、実施
例２と同様の構成部分においては、同一符号を付し、その詳細な説明を省略する。
【００２４】
図３に示すように、極間絶縁体２１には、内周側に実施例２と同様の発泡体２１ａ、外
周側にＦＲＰ２１ｂを用いている。
【００２５】
上記実施例３のタンク型真空遮断器によれば、実施例２による効果のほかに、注型金型
を用いることなく、ＦＲＰ２１ｂ内でシリコンゴムを発泡させることができ、作業性を向
上させることができる。
【００２６】
以上述べたような実施形態によれば、真空バルブの外部絶縁の補強をエポキシ樹脂より
も軽量の絶縁材料で形成するようにしているので、真空バルブの支持固定が容易となり、
簡素な構造で軽量化を図ることができる。
【００２７】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００２８】
１  タンク
２  真空バルブ
３  固定側電極
４  支持がいし
５、１１  フランジ
６  可動軸
７  絶縁操作ロッド
８  接触子
９  可動側電極
１０  対地間絶縁体
１２  操作機構
１３、２０、２１  極間絶縁体
１４、１６  主回路導体
１５、１７  がい管
１８、１９  環境適合ガス
２１ａ  発泡体
２１ｂ  ＦＲＰ
【図１】
2014072104.tif 000003
【図２】
2014072104.tif 000004
【図３】
2014072104.tif 000005